(57)【要約】【課題】  ケースが容易に開口することなく、収容物の落下を防止し、且つ、いたずら防止性を有する包装容器を提供する。【解決手段】  本発明は、主板１のフラップ３が、円弧状の折り目線Ｌ３上に凹状の切り込み線７ａと、フラップ３に折り目線を介して連設され、該折り目線の端部を切り込んで、係止部５ａを形成した舌片５とを備える一方、主板２のフラップ４が、円弧状の折り目線Ｌ４上に凹状の切り込み線８ａと、フラップ４に折り目線を介して連設され、該折り目線の端部を切り込んで係止部６ａを形成した舌片６とを備え、舌片５を倒立させてフラップ３を内部に折り込んだ後に、フラップ４を内部に折り込む際に、舌片５を切り込み線８ａに差し込んで、係止部５ａを切り込み線８ａの端部と係合させると共に、舌片６を切り込み線７ａに差し込んで、係止部６ａを切り込み線７ａの端部と係合させるようにした。【選択図】    図１
2005280753.tif 000002
【特許請求の範囲】
【請求項１】
一対の主板が折り目線を介して連設されると共に、側縁同士を接合して筒状に形成され、それぞれの主板の少なくとも一方の端部に、円弧状の折り目線を介してフラップが連設されてなる包装容器において、
前記一方の主板のフラップは、該フラップに折り目線を介して連設され、該折り目線の端部を切り込んで係止部を形成した第一舌片を備える一方、前記他方の主板のフラップは、該主板との折り目線上に少なくとも端部が位置する第一切り込み線とを備え、
前記他方の主板のフラップを内部に折り込み後、前記一方の主板のフラップを内部に折り込む際に、前記第一舌片を前記第一切り込み線に差し込み、前記係止部を該第一切り込み線の端部と係合させることを特徴とする包装容器。
【請求項２】
一対の主板が折り目線を介して連設されると共に、側縁同士を接合して筒状に形成され、それぞれの主板の少なくとも一方の端部に、円弧状の折り目線を介してフラップが連設されてなる包装容器において、
前記一方の主板のフラップは、該主板との折り目線上に少なくとも端部が位置する第二切り込み線と、該フラップに折り目線を介して連設され、該折り目線の端部を切り込んで第一係止部を形成した第一舌片とを備える一方、
前記他方の主板のフラップは、該主板との折り目線上に少なくとも端部が位置する第一切り込み線と、該フラップに折り目線を介して連設され、該折り目線の端部を切り込んで第二係止部を形成した第二舌片とを備え、
前記第二舌片を倒立させて前記他方の主板のフラップを内部に折り込み後、前記一方の主板のフラップを内部に折り込む際に、前記第二舌片を前記第二切り込み線に差し込んで、前記第二係止部を該第二切り込み線の端部と係合させると共に、前記第一舌片を前記第一切り込み線に差し込んで、前記第一係止部を該第一切り込み線の端部と係合させることを特徴とする包装容器。
【請求項３】
前記第一及び第二切り込み線が、前記フラップの縁部に向かって突出する凹状に形成され、
フラップを内部に折り込む際に、前記第一切り込み線及び第二切り込み線に囲繞された足片が、主板と連続して突出することを特徴とする請求項２記載の包装容器。
【発明の詳細な説明】
【技術分野】
【０００１】
本発明は、ピロー型の包装容器に関し、特に、底抜けの防止を図った包装容器に関する。
【背景技術】
【０００２】
従来から、物品を収納するためのケースとして、１枚のプラスチックシートを折り曲げて形成したピロー型の包装容器が広く使用されている。一般的な包装容器は、一対の主板が折り目線を介して連設され、そして、各主板の両端に、円弧状の折り目線を介してフラップが連設され、且つ、一方の主板の側縁には折り目線を介して貼着片が連設されている形状を有する。そして、該貼着片を他方の主板の側縁と接合して筒状部を形成し、各フラップを円弧状の折り目線の反発を利用して折り重ねて両端を封止する。このように形成された包装容器は、商品のラッピングや搬送など、いろいろな用途に利用され重宝されている。
【０００３】
しかしながら、上記構成からなる包装容器は、両端を単にフラップを折り曲げて封止しているので、外部から衝撃を受けたときに、各フラップの位置ずれにより両端が開口することがある。そこで、このような端部の口開きを防止するために粘着テープなどで、フラップと主板とを閉じる必要がある。
【０００４】
そこで、フラップの位置ずれを防止し、容器の開口部をフラップで安定して閉塞することができる包装容器がある（例えば、特許文献１参照）。図８及び図９に当該包装容器の展開図及び組み立てた状態の斜視図を示す。
【０００５】
図８より、折り目線Ｌ１０１を介して一対の主板１０１，１０２が連設され、主板１０１の幅方向の端部には、折り目線Ｌ１０８を介して、貼着片１１６が連設されている。
【０００６】
一方の主板１０２の長手方向の一端部には、円弧状の折り目線Ｌ１０２を介してフラップ１０３を連設し、このフラップの端部１０３ａ上に折り目線Ｌ１０３を介して支持舌片１０４が連設されている。また、主板１０２の長手方向の他端部には、不連続の円弧状の折り目線Ｌ１０４を介してフラップ１０５を連設し、このフラップの端部１０５ａ上に、折り目線Ｌ１０５を介して支持舌片１０６が連設されている。また、折り目線Ｌ１０４の中央部には凹状の切り込み線１１７を有し、この切り込み線１１７で囲繞された部分が足片１０８を形成する。
【０００７】
他方の主板１０１の長手方向の一端部には、直線状の折り目線Ｌ１０６を介して折り返し片１０９を連設している。この折り返し片の端部１０９ａ上には、突起部１１２，１１２が形成されている。また、折り目線Ｌ１０６に沿って折り曲げたときに、主板１０１及び折り返し片１０９を貫通する吊り下げ孔１１０，１１１が形成されている。
【０００８】
また、主板１０１の長手方向の他端部には、直線状の折り目線Ｌ１０７を介して折り返し片１１３を連設している。この折り返し片の端部１１３ａ上には、折り目線Ｌ１０９を介して係止片１１４を連設し、その両端に、係合凹部１１５，１１５が形成されている。
【０００９】
次に、図８に示す展開状態から包装容器を組み立てる手順について説明する。まず、貼着片１１６を折り目線Ｌ１０８に沿って折り曲げ、主板１０２の側縁と接合する。
【００１０】
次に、主板１０２の一端を、折り目線Ｌ１０２及びＬ１０３に沿ってフラップ１０３及び支持舌片１０４を折り曲げて、支持舌片１０４を主板１０１上に当接させる。そして、主板１０１の一端を、折り目線Ｌ１０６に沿って、折り返し片１０９を支持舌片１０４を介して主板１０１上に折り返すと共に、突起部１１２，１１２を支持舌片１０４の両サイドに置いて、フラップの端部１０３ａと他方の主板１０１との間に挿入する。
【００１１】
一方、主板１０２の他端を、折り目線Ｌ１０４及びＬ１０５に沿ってフラップ１０５及び支持舌片１０６を折り曲げて、支持舌片１０６を主板１０１上に当接させる。そして、主板１０１の他端を、折り目線Ｌ１０７に沿って、折り返し片１１３を支持舌片１０６を介して主板１０１上に折り返すと共に、係合凹部１１５，１１５を切り込み線１１７によって形成される係止孔の縁部に係止させる。
【００１２】
上述した手順で作製された包装容器を図９に示す。このように対向するフラップの縁部に係止片又は舌片を連設させて、互いに嵌め合わせることにより、包装容器の開口部を安定して閉塞することができる。
【００１３】
【特許文献１】特開２００３−２５２３２３号公報
【発明の開示】
【発明が解決しようとする課題】
【００１４】
特許文献１に記載された包装容器によれば、容器の主板１０２の切り込み線１１７によって形成される係止孔に、主板１０１の係合凹部１１５，１１５を差し込んで底面を封止している。しかし、係合凹部１１５は、前記係止孔の大きさに対し、係合凹部１１５の差し込まれる部分が小さく、しかも折れ曲がりやすい方向に形成されているため、商品を入れた際に、中からの押し込み力によって、あるいは外からの衝撃により容易に係合が解除されてしまうことがある。また、底面は１枚の部材（フラップ１０５）だけで支持されているので、強度が弱く容易に底が抜けてしまうおそれがある。
【００１５】
本発明は、上記問題を鑑みてなされたもので、ケースが容易に開口することがなく、収容物の落下を防止し、且つ、いたずら防止性を有する包装容器を提供することを課題とする。
【課題を解決するための手段】
【００１６】
そこで、本発明に係る包装容器は、一対の主板が折り目線を介して連設されると共に、側縁同士を接合して筒状に形成され、それぞれの主板の少なくとも一方の端部に、円弧状の折り目線を介してフラップが連設されてなる包装容器において、前記一方の主板のフラップが、該フラップに折り目線を介して連設され、該折り目線の端部を切り込んで係止部を形成した第一舌片を備える一方、前記他方の主板のフラップが、該主板との折り目線上に少なくとも端部が位置する第一切り込み線とを備え、前記他方の主板のフラップを内部に折り込み後、前記一方の主板のフラップを内部に折り込む際に、前記第一舌片を前記第一切り込み線に差し込み、前記係止部を該第一切り込み線の端部と係合させるようにした。
【００１７】
上記構成からなる包装容器によれば、対向するフラップを円弧状の折り目線で折り曲げているので、折り目線の反発を利用して底を封止すると共に、舌片を切り込み線に差し込んで、係止部でロックさせるようにしたので、簡単な構成でケースの底抜けを防止し、容易に開封することができないので、いたずら防止性を有することができる。
【００１８】
あるいは、本発明に係る包装容器は、前記一方の主板のフラップが、該主板との折り目線上に少なくとも端部が位置する第二切り込み線と、該フラップに折り目線を介して連設され、該折り目線の端部を切り込んで第一係止部を形成した第一舌片とを備える一方、前記他方の主板のフラップが、該主板との折り目線上に少なくとも端部が位置する第一切り込み線と、該フラップに折り目線を介して連設され、該折り目線の端部を切り込んで第二係止部を形成した第二舌片とを備え、前記第二舌片を倒立させて前記他方の主板のフラップを内部に折り込み後、前記一方の主板のフラップを内部に折り込む際に、前記第二舌片を前記第二切り込み線に差し込んで、前記第二係止部を該第二切り込み線の端部と係合させると共に、前記第一舌片を前記第一切り込み線に差し込んで、前記第一係止部を該第一切り込み線の端部と係合させるようにした。
【００１９】
上記構成からなる包装容器によれば、対向するフラップに係止部を有する舌片と、切り込み線とを設け、互いに嵌め合わせるようにしたので、底部のロックがさらに強化され、いたずら防止性が向上する。
【００２０】
また、前記第一及び第二切り込み線が、前記フラップの縁部に向かって突出する凹状に形成され、フラップを内部に折り込む際に、前記第一切り込み線及び第二切り込み線に囲繞された足片が、主板と連続して突出するようにしてもよい。
【００２１】
この構成により、各主板の底面に足片が延出されているので、ケース自体を自立させておくことができる。しかも、倒立させた、一方の舌片が主板の円弧状の折り目線から外部方向に突出することとなるものの、該舌片が足片で覆われるため、外観を良好にすることができる。
【発明の効果】
【００２２】
即ち、本発明に係る包装容器は、内部から圧迫されたり、外部から衝撃を受けても、ケースが容易に開口することがないので底抜けを防止し、且つ、フラップの係合を容易に解除することができないので、いたずら防止性を有することができる。
【発明を実施するための最良の形態】
【００２３】
以下、本発明の実施形態について図面を参酌しつつ説明する。
【００２４】
＜第一実施形態＞
図１は、本発明の第一実施形態に係る包装容器の展開図である。
【００２５】
図より、折り目線Ｌ１を介して一対の主板１，２が連設されている。また、主板１における短手方向の端部には、折り目線Ｌ２を介して貼着片９を連設している。この貼着片９は他方の主板２の長手方向の長さと同等かそれよりも短く設定されればよい。
【００２６】
まず、主板１の長手方向の一端には、円弧状の折り目線Ｌ７を介してフラップ１０を連設している。このフラップ１０の縁部上には、円弧状の折り目線Ｌ８を介して三つの差し込み片１１ａ，１１ｂ，１１ｃを連設している。そのうち、中央の差し込み片１１ｂは、両隣の差し込み片１１ａ，１１ｃよりも幅が短く設定され、差し込み片１１ａと差し込み片１１ｂとの間に、わずかに切り欠いたスリット１２ａを形成し、差し込み片１１ｂと差し込み片１１ｃとの間に、わずかに切り欠いたスリット１２ｂを形成している。
【００２７】
このように、中央の差し込み片１１ｂの幅を短くし、その左右にスリット１２ａ，１２ｂを形成することにより、差し込みを容易にすることができる。なお、前記差し込み片は例示であり、差し込み片は少なくとも１つあればよく、差し込み片の幅も自由に設定することができる。しかし、中央の差し込み片１１ｂが幅広であれば、差し込んだときに片が反り返ってしまうおそれがあり、また、隣接する差し込み片の間にスリットを設けないと、隣接する差し込み片同士が重なってしまい、差し込んだときに片が浮いてしまうおそれがある。
【００２８】
一方、主板１の長手方向の他端には、不連続の円弧状の折り目線Ｌ３を介してフラップ３を連設し、このフラップ３の縁部中央部分に折り目線Ｌ５を介して第一舌片５が連設されている。この折り目線Ｌ５上には、端部をわずかに切り込んだ第一係止部５ａ，５ａが形成されている。そして、折り目線Ｌ３の中央部分には、フラップ５の縁部方向に突出する凹状の第二切り込み線７ａを形成し、この第二切り込み線７ａで囲繞された部分が足片７を形成する。また、第二切り込み線７ａは、その縁部が折り目線Ｌ３の両端を結ぶ直線上まで延びている。
【００２９】
次に、主板２は、一方の主板１よりも若干長尺に設定されており、長手方向の一端にはケースを吊り下げるための係止孔１３が形成されている。一方、主板２の長手方向の他端には、不連続の円弧状の折り目線Ｌ４を介してフラップ４を連設し、このフラップ４の縁部中央部分に折り目線Ｌ６を介して第二舌片６が連設されている。この折り目線Ｌ６上には、端部をわずかに切り込んだ第二係止部６ａ，６ａが形成されている。そして、折り目線Ｌ４の中央部分には、フラップ４の縁部方向に突出する凹状の第一切り込み線８ａを形成し、この第一切り込み線８ａで囲繞された部分が足片８を形成する。また、第一切り込み線８ａは、その縁部が折り目線Ｌ４の両端を結ぶ直線上まで延びている。
【００３０】
ここで、折り目線Ｌ５（Ｌ６）及び係止部５ａ，５ａ（６ａ，６ａ）の幅が、折り目線Ｌ３（Ｌ４）上にある切り込み線７ａ（８ａ）の端部の幅よりも長い方が好ましく、係止部７ａ（８ａ）が切り込み線７ａ（８ａ）の端部と係合可能となるように切り込まれていることが好ましい。一方、各舌片５（６）の縁部の幅は、切り込み線７ａ（８ａ）の端部の幅よりも短い方が好ましい。
【００３１】
図２に、図１の展開図を組み立てた包装容器の斜視図を示す。また、図３に、包装容器の組み立て途中の要部拡大斜視図を示す。図４は、図２のＩ−Ｉ線断面図である。以下、図１〜４を参照しながら、包装容器の組み立て手順について説明する。
【００３２】
まず、図１に示す貼着片９を折り目線Ｌ２に沿って折り曲げて、主板２の側縁の外面に当接させて、当接部分を接合する。これにより、長手方向に開口された筒状のケースを形成する。なお、貼着片９は、主板２の内面に接合させてもよい。また、接合手段は、接着剤、ヒートシール又は超音波シールなどを用いることができる。
【００３３】
次に、包装容器の底部の組み立て手順について説明する。図３又は図４に示すように、まず、フラップ３を折り目線Ｌ３に沿って内部方向に折り曲げて、包装容器の底部を塞ぐと共に、第一舌片５を折り目線Ｌ５に沿って外部方向に折り曲げて、フラップ４の背面側から第一折り込み線８ａに差し込む。このとき、第一舌片５が足片８の背面と当接し、第一係止部５ａ，５ａが第一切り込み線８ａの各端部と係合される。
【００３４】
次に、フラップ４を折り目線Ｌ４に沿って内部方向に折り曲げると共に、第二舌片６を折り目線Ｌ６に沿って内部方向に折り曲げて、この第二舌片６をフラップ３の表面側から第二切り込み線７ａにより形成された開口部２０に差し込む。このとき、第二係止部６ａ，６ａが切り込み線７ａの各端部と係合される。
【００３５】
以上の手順により、主板１，２から延出する足片７，８を有する底部が形成される。なお、同様の手順でフラップ４を先に折り込んだ後に、フラップ３を折り込んでも同様に底部を形成することができる。
【００３６】
続いて、包装容器の上部の組み立て手順について説明する。まず、フラップ１０を折り目線Ｌ７に沿って内部方向に折り曲げて、包装容器の上部を塞ぐと共に、差し込み片１１ａ，１１ｂ，１１ｃを折り目線Ｌ８に沿って内部方向に折り曲げて、主板２と当接させる。あるいは、中央の差し込み片１１ｂだけを折り目線Ｌ８に沿って外部方向に折り曲げて、主板２と当接させるようにしてもよい。これにより、上部を開口するときに、差し込み片１１ｂをつまみ上げればよく、開口を容易にすることができる。
【００３７】
以上のように、本実施形態に係る包装容器によれば、円弧状の折り目線Ｌ３，Ｌ４の反発力を利用して底部を封止すると共に、各舌片５，６を切り込み線７ａ，８ａに差し込んで、係止部５ａ，６ａでロックさせるようにした。これにより、本願の係止部５ａ，６ａは、主板１，２の面と接しているので、ケースの底部を規制し、内部から圧力をかけたり、外部から衝撃を受けてもフラップが開放されることなく、ケースの底抜けを防止することができる。従って、容易に開封することができないので、いたずら防止性を有することができる。
【００３８】
また、各切り込み線７ａ（８ａ）に囲繞された部分が足片７（８）を形成し、該足片７（８）の縁部及び、折り目線Ｌ３（Ｌ４）の両端の三点で支持することができるので、安定性よく自立させることができる。それ以外にも、ケースを横に置いたり、上に積み重ねたりしてもよい。また、主板２の上部に係止孔１３が穿設されているので、吊り下げ状態で陳列することもできる。
【００３９】
本発明の包装容器は、材質、形状あるいは重量などに関わらず種々の物体を収容することができる。なお、収容物が、円筒形やチューブ状など断面が円形の形状を有するときは、図４に示すケースの断面の幅を、収容物の直径に対して０．７〜１．０倍の大きさに設定することが好ましい。これにより、収容物とケースの密着度を向上させることができ、収容物がケース内で回転するのを防止することができる。また、収容物がケースを圧迫するので、係止部のロックが強化される。しかし、断面の幅が０．７倍よりも小さいと、収容物をケースに収容することが困難になり、一方、断面の幅が１．０倍よりも大きいと、収容物がケースに密着せず、不安定な状態で収容される。
【００４０】
また、前記各舌片５，６の幅は、収容物の直径に対して１．１倍までの大きさに設定することが好ましい。これにより、収容物がケース内で回転するのを防止すると共に、ケースを安定して自立させることができる。舌片の幅が容器径の１．１倍よりも大きいと、切り込み線に囲まれた開口部２０の面積が大きくなり、底部の強度が弱くなる。
【００４１】
なお、本発明の包装容器は、ポリエチレンテレフタレート（ＰＥＴ）や、ポリプロピレン（ＰＰ）などからなる厚さ０．２〜０．８ｍｍのシートを用いて作製することができる。特に、材質が柔らかすぎず、こしが硬いＰＥＴを採用することが好ましい。
【００４２】
また、係止部５ａ、５ａ（６ａ，６ａ）は、折り目線Ｌ５（Ｌ６）に対して両端に形成するようにしたが、一方だけに形成してもよい。
【００４３】
また、包装容器の上部の蓋部分は、差し込み片により封止するようにしたが、この形状に限るものではなく、底部と同様の形状とすることができる。
【００４４】
＜第二実施形態＞
次に、本発明に係る包装容器の第二実施形態について説明する。なお、以下の説明において、第一実施形態に係る包装容器の各構成と同一、又は同等の構成については、同じ符号を付している。
【００４５】
図５は、本発明の第二実施形態に係る包装容器の展開図である。
【００４６】
図より、折り目線Ｌ１を介して一対の主板１’、２’が連設されている。また、主板１’における短手方向の端部には、折り目線Ｌ２を介して貼着片９を連設している。
【００４７】
まず、一方の主板１’の長手方向の一端には、不連続の円弧状の折り目線Ｌ７を介してフラップ１０’を連設している。この折り目線Ｌ７上には、後述する第三舌片１６を差し込むための切り込み線１４ａが形成されている。
【００４８】
一方、主板１’の長手方向の他端には、円弧状の折り目線Ｌ３を介してフラップ３’を連設し、このフラップ３’の縁部中央部分に折り目線Ｌ５を介して第一舌片５が連設されている。この折り目線Ｌ５上には、端部をわずかに切り込んだ第一係止部５ａ，５ａが形成されている。また、折り目線Ｌ５は、ハーフカットや、断続したミシン目状切込等からなる易破断性の罫線により形成されている。
【００４９】
次に、主板２’の長手方向の一端には、円弧状の折り目線Ｌ８を介してフラップ１５を連設し、このフラップ１５の縁部中央部分に折り目線Ｌ９を介して第三舌片１６が連設されている。この折り目線Ｌ９上には、端部をわずかに切り込んだ、第三係止部１６ａ，１６ａが形成されている。また、折り目線Ｌ９も、前記易破断性の罫線により形成されている。
【００５０】
一方、主板２’の長手方向の他端には、不連続の円弧状の折り目線Ｌ４を介してフラップ４’を連設している。この折り目線Ｌ４上には、第一舌片５を差し込むための切り込み線８ａ’が形成されている。
【００５１】
図６に、図５の展開図を組み立てた包装容器の斜視図を示す。以下、図５又は６を参照しながら、包装容器の組み立て手順について説明する。
【００５２】
まず、図５に示す貼着片９を折り目線Ｌ２に沿って折り曲げて、主板２’の側縁の外面に当接させて、当接部分を接合する。これにより、長手方向に開口された筒状のケースを形成する。
【００５３】
次に、フラップ４’を折り目線Ｌ４に沿って内部方向に折り曲げる。続いて、フラップ３’を折り目線Ｌ３に沿って内部方向に折り曲げると共に、第一舌片５を折り目線Ｌ５に沿って内部方向に折り曲げて、この第一舌片５を切り込み線８ａ’に差し込む。このとき、第一係止部５ａ，５ａが切り込み線８ａ’の各端部と係合される。
【００５４】
次に、フラップ１０’を折り目線Ｌ７に沿って内部方向に折り曲げる。続いて、フラップ１５を折り目線Ｌ８に沿って内部方向に折り曲げると共に、第三舌片１６を折り目線Ｌ９に沿って内部方向に折り曲げて、この第三舌片１６を切り込み線１４ａに差し込む。このとき、第三係止部１６ａ，１６ａが切り込み線１４ａの各端部と係合される。
【００５５】
以上のように、本実施形態に係る包装容器によれば、各主板１’、２’の一方の端部にのみ舌片を形成し、この舌片を対向する主板に形成された切り込み線に差し込んで係合させるようにしたので、簡単な構成で、底抜けを防止することができ、また、容易に開封することができないので、いたずら防止性を有することができる。さらに無理に開封しようとすると易破断性の罫線が破断し復元不能となるため、タンパーエビデント性を有している。また、この包装容器は、上記実施形態と異なり足片を形成していないので、ケースを横に置いたり、ケースを積み重ねたりして陳列することができる。
【００５６】
なお、各舌片５，１６は、主板１’，２’の対角線上に設けたが、一方の主板の両端に舌片を設け、他方の主板に、各舌片を差し込むための切り込み線を形成するようにしてもよい。
【００５７】
＜第三実施形態＞
次に、本発明に係る包装容器の第三実施形態について説明する。なお、以下の説明において、第一実施形態に係る包装容器の各構成と同一、又は同等の構成については、同じ符号を付している。
【００５８】
図７は、本発明の第三実施形態に係る包装容器の展開図である。
【００５９】
図より、折り目線Ｌ１を介して一対の主板１”、２”が連設されている。また、主板１”における短手方向の端部には、折り目線Ｌ２を介して貼着片９を連設している。
【００６０】
まず、一方の主板１”の長手方向の一端には、不連続の円弧状の折り目線Ｌ７を介してフラップ１０”を連設している。この折り目線Ｌ７上には、第三舌片１６を差し込むための第三切り込み線１８ａが形成されている。さらに、この第三切り込み線１８ａの両端部から主板１”の内部方向へ垂直に形成された切断予定線１８ｂ，１８ｂを有する。切断予定線は、ミシン目やスリットなど、使用者がケースの開封を容易にするものであればどのような形状でも構わない。一方、フラップ１０”の縁部中央部分に折り目線Ｌ１０を介して第四舌片１７が連設されている。この折り目線Ｌ１０上には、端部をわずかに切り込んだ第四係止部１７ａ，１７ａが形成されている。
【００６１】
一方、主板１”の長手方向の他端には、不連続の円弧状の折り目線Ｌ３を介してフラップ３”を連設し、このフラップ３”の縁部中央部分に折り目線Ｌ５を介して第一舌片５が連設されている。この折り目線Ｌ５上には、端部をわずかに切り込んだ第一係止部５ａ，５ａが形成されている。また、折り目線Ｌ３上には、第二舌片６を差し込むための第二切り込み線７ａ’が形成されている。
【００６２】
次に、主板２”の長手方向の一端には、不連続の円弧状の折り目線Ｌ８を介してフラップ１５”を連設し、このフラップ１５”の縁部中央部分に易破断性の罫線からなる折り目線Ｌ９を介して第三舌片１６が連設されている。この折り目線Ｌ９上には、端部をわずかに切り込んだ第三係止部１６ａ，１６ａが形成されている。また、折り目線Ｌ８上には、第四舌片１７を差し込むための第四切り込み線１９ａが形成されている。
【００６３】
一方、主板２”の長手方向の他端には、不連続の円弧状の折り目線Ｌ４を介してフラップ４”を連設し、このフラップ４”の縁部中央部分に易破断性の罫線からなる折り目線Ｌ６を介して第二舌片６が連設されている。この折り目線Ｌ６上には、端部をわずかに切り込んだ第二係止部６ａ，６ａが形成されている。また、折り目線Ｌ４上には、第一舌片５を差し込むための第一切り込み線８ａ’が形成されている。
【００６４】
次に、図７の展開図から包装容器の組み立てる手順について説明する。
【００６５】
まず、図７に示す貼着片９を折り目線Ｌ２に沿って折り曲げて、主板２”の側縁の外面に当接させて、当接部分を接合する。これにより、長手方向に開口された筒状のケースを形成する。
【００６６】
次に、フラップ３”を折り目線Ｌ３に沿って内部方向に折り曲げると共に、第一舌片５を折り目線Ｌ５に沿って外部方向に折り曲げて、第一折り込み線８ａ’に差し込む。このとき、第一係止部５ａ，５ａが第一切り込み線８ａ’の各端部と係合される。
【００６７】
次に、フラップ４”を折り目線Ｌ４に沿って内部方向に折り曲げると共に、第二舌片６を折り目線Ｌ６に沿って内部方向に折り曲げて、第二切り込み線７ａ’に差し込む。このとき、第二係合部６ａ，６ａが第二切り込み線７ａ’の各端部と係合される。
【００６８】
続いて、フラップ１０”を折り目線Ｌ７に沿って内部方向に折り曲げると共に、第四舌片１７を折り目線Ｌ１０に沿って外部方向に折り曲げて、第四折り込み線１９ａに差し込む。このとき、第四係止部１７ａ，１７ａが第四切り込み線１９ａの各端部と係合される。
【００６９】
次に、フラップ１５”を折り目線Ｌ８に沿って内部方向に折り曲げると共に、第三舌片１６を折り目線Ｌ９に沿って内部方向に折り曲げて、第二切り込み線１８ａに差し込む。このとき、第三係合部１６ａ，１６ａが第三切り込み線１８ａの各端部と係合される。
【００７０】
以上のように、本実施形態に係る包装容器によれば、それぞれの主板１”，２”の端部に舌片及び切り込み線を設けるようにしたので、底部のロックが強化され、外部から衝撃を受けてもフラップが開放されることがない構成とすることができる。また、この包装容器は、足片を形成していないので、ケースを横に置いたり、ケースを積み重ねたりして陳列することができる。
【００７１】
なお、本実施形態の包装容器は長手方向の両端を互いのに係止部によりロックさせているので、開封が容易でなく、いたずら防止性を有するとともに無理に開封しようとしたときには易破断性の折り目線が切断されるためタンパーエビデント性を有する。また、本実施形態では、一方の切り込み線の端部に切断予定線を予め設けておくことにより、フラップの係合を解除することなく容易に開封することができる。
【図面の簡単な説明】
【００７２】
【図１】本発明の第一実施形態に係る包装容器の展開図を示す。
【図２】図１の展開図を組み立てた包装容器の斜視図を示す。
【図３】図２の包装容器の組み立て途中の要部拡大斜視図を示す。
【図４】図２のＩ−Ｉ線断面図を示す。
【図５】本発明の第二実施形態に係る包装容器の展開図を示す。
【図６】図５の展開図を組み立てた包装容器の斜視図を示す。
【図７】本発明の第三実施形態に係る包装容器の展開図を示す。
【図８】従来の包装容器の展開図を示す。
【図９】図８の展開図を組み立てた包装容器の斜視図を示す。
【符号の説明】
【００７３】
１，２…主板
３，４…フラップ
５，６…舌片
５ａ，６ａ…係止部
７，８…足片
７ａ，８ａ…切り込み線
Ｌ１，Ｌ２…直線状の折り目線
Ｌ３，Ｌ４，Ｌ７，Ｌ８…円弧状の折り目線
【図１】
2005280753.tif 000003
【図２】
2005280753.tif 000004
【図３】
2005280753.tif 000005
【図４】
2005280753.tif 000006
【図５】
2005280753.tif 000007
【図６】
2005280753.tif 000008
【図７】
2005280753.tif 000009
【図８】
2005280753.tif 000010
【図９】
2005280753.tif 000011